(57)【要約】      （修正有）【課題】単位体積における電磁波干渉抑制効果を高めることができ、見た目にも美しいフェライトコアを提供する。【解決手段】電磁波干渉を抑制するフェライトコア４であって、上部蓋体３０と、下部蓋体３２とから構成される。上部蓋体３０の内部壁面上には上部ケーブル固定柱４０が設けられ、両端には凹状の開口部が設けられ、下部蓋体３２の内部壁面には上部蓋体３０の上部ケーブル固定柱４０に対応する下部ケーブル固定柱４２が設けられ、両端には凹状の開口部が設けられる。上部蓋体３０と下部蓋体３２の両端には、それぞれに設けられた凹状の開口部によって入線開口部と出線開口部とが構成される。ケーブルを入線開口部からフェライトコア４内に進入させた後、先ず上部ケーブル固定柱４０に巻設し、次に、入線開口部から再び下部蓋体３２に進入させ、下部蓋体３２の下部ケーブル固定柱４２に沿って出線開口部から退出させて構成される。【選択図】図６
0003115399.tif 000002
【実用新案登録請求の範囲】
【請求項１】
ケーブルを挟持して電磁波干渉を抑制するフェライトコアであって、
前記フェライトコアは、上部蓋体と、下部蓋体とから構成され、
前記上部蓋体の内部壁面上には上部ケーブル固定柱が設けられ、両端には凹状の開口部が設けられ、
前記下部蓋体の内部壁面には前記上部蓋体の上部ケーブル固定柱に対応する下部ケーブル固定柱が設けられ、両端には凹状の開口部が設けられ、
前記上部蓋体と前記下部蓋体の両端には、それぞれに設けられた凹状の開口部によって入線開口部と出線開口部とが構成されており、前記ケーブルを前記入線開口部からフェライトコア内に進入させた後、先ず前記上部ケーブル固定柱に巻設し、次に、前記入線開口部から再び前記下部蓋体に進入させ、前記下部蓋体の前記下部ケーブル固定柱に沿って出線開口部から退出させて構成されることを特徴とする電磁波干渉抑制に使用されるフェライトコア。
【請求項２】
前記ケーブルは、信号ケーブルおよび電気ケーブルであることを特徴とする請求項１記載の電磁波干渉抑制に使用されるフェライトコア。
【請求項３】
前記上部蓋体の前記上部ケーブル固定柱は、数量をさらに増加させることができ、前記ケーブルを巻設し、電磁波干渉抑制の効果をさらに高めることができることを特徴とする請求項１記載の電磁波干渉抑制に使用されるフェライトコア。
【請求項４】
前記下部蓋体の前記下部ケーブル固定柱は、数量をさらに増加させることができ、前記ケーブルを巻設し、電磁波干渉抑制の効果をさらに高めることができることを特徴とする請求項１記載の電磁波干渉抑制に使用されるフェライトコア。
【請求項５】
前記フェライトコアの材料は、Ｎｉ−ＺｎフェライトまたはＭｎ−Ｚｎフェライトであることを特徴とする請求項１記載の電磁波干渉抑制に使用されるフェライトコア。
【考案の詳細な説明】
【技術分野】
【０００１】
本考案は、フェライトコアに関し、特に電磁波干渉を抑制するフェライトコアに関する。
【背景技術】
【０００２】
半導体製造技術の発展に伴い、電子設備もさらに高クロック周波数へと発展している。しかし、高クロック周波数に伴い、ケーブルによって伝送されるときに発生するノイズ干渉などの問題も日増しに深刻になっている。そこで、国家が基準を制定するにしても、メーカーが自ら基準を定義するにしても、ＥＭＣは一定の要求がなされ、それが達成されない場合製品として認められない。従って、電磁波干渉やノイズ干渉を抑制することは日増しに重要になっている。
【０００３】
図１は従来技術による電磁波干渉を抑制するフェライトコア５を示す斜視図である。図１に示すように、従来技術によるフェライトコア５は上部蓋体１０と下部蓋体１２とから構成され、上部蓋体１０と下部蓋体１２の両端には凹状の開口部が設けられ、掛合した後、それぞれに設けられた凹状の開口部によって入線開口部と出線開口部とが構成される。
【０００４】
図２は従来技術による電磁波干渉を抑制するフェライトコアがケーブル２０を挟持する状態を示す斜視図である。図３は従来技術による電磁波干渉を抑制するフェライトコアがケーブル２０を挟持した状態を示す斜視図である。図２に示すように、ケーブル２０を入線開口部からフェライトコア内に進入させ、出線開口部から退出させ、図３に示すように、上部蓋体１０と下部蓋体１２とをお互いに掛合して構成される。
【０００５】
図４は従来技術による電磁波干渉を抑制するフェライトコアにケーブルを巻設する状態を示す斜視図である。図５は従来技術による電磁波干渉を抑制するフェライトコアにケーブルを巻設した状態を示す斜視図である。図４に示すように、ケーブル２０を入線開口部からフェライトコア内に進入させた後、上部蓋体１０を貫通させて出線開口部から退出させるが、フェライトコアの電磁波干渉抑制の効果を高めるために、上部蓋体１０の外部表面を経由して再び入線開口部から進入させ、出線開口部から退出させる。図５に示すように、上部蓋体１０と下部蓋体１２とをお互いに掛合したとき、上部蓋体１０に巻設されたケーブル２０が外部に露出する。
【０００６】
以上のことから分かることは、従来技術によるフェライトコア５は同一体積の下、さらに好適な構造にした場合、電磁波干渉をさらに抑制することができ、ケーブル２０がフェライトコア５の外部に露出する構造は見た目にも良くない。
【考案の開示】
【考案が解決しようとする課題】
【０００７】
本考案の目的は、上部ケーブル固定柱と下部ケーブル固定柱とによって、ケーブルをフェライトコア内部に巻設し、単位体積における電磁波干渉抑制効果を高め、さらに見た目にも美しい電磁波干渉抑制に使用されるフェライトコアを提供することにある。
【課題を解決するための手段】
【０００８】
上記目的を解決するために、請求項１の考案は、ケーブルを挟持して電磁波干渉を抑制するフェライトコアであって、フェライトコアは、上部蓋体と、下部蓋体とから構成され、上部蓋体の内部壁面上には上部ケーブル固定柱が設けられ、両端には凹状の開口部が設けられ、下部蓋体の内部壁面には上部蓋体の上部ケーブル固定柱に対応する下部ケーブル固定柱が設けられ、両端には凹状の開口部が設けられ、上部蓋体と下部蓋体の両端には、それぞれに設けられた凹状の開口部によって入線開口部と出線開口部とが構成されており、ケーブルを入線開口部からフェライトコア内に進入させた後、先ず上部ケーブル固定柱に巻設し、次に、入線開口部から再び下部蓋体に進入させ、下部蓋体の下部ケーブル固定柱に沿って出線開口部から退出させて構成されることを特徴とする電磁波干渉抑制に使用されるフェライトコアである。
【０００９】
請求項２の考案は、ケーブルは、信号ケーブルおよび電気ケーブルであることを特徴とする請求項１記載の電磁波干渉抑制に使用されるフェライトコアである。
【００１０】
請求項３の考案は、上部蓋体の上部ケーブル固定柱は、数量をさらに増加させることができ、ケーブルを巻設し、電磁波干渉抑制の効果をさらに高めることができることを特徴とする請求項１記載の電磁波干渉抑制に使用されるフェライトコアである。
【００１１】
請求項４の考案は、下部蓋体の下部ケーブル固定柱は、数量をさらに増加させることができ、ケーブルを巻設し、電磁波干渉抑制の効果をさらに高めることができることを特徴とする請求項１記載の電磁波干渉抑制に使用されるフェライトコアである。
【００１２】
請求項５の考案は、フェライトコアの材料は、Ｎｉ−ＺｎフェライトまたはＭｎ−Ｚｎフェライトであることを特徴とする請求項１記載の電磁波干渉抑制に使用されるフェライトコアである。
【考案の効果】
【００１３】
本考案の電磁波干渉抑制に使用されるフェライトコアは上部ケーブル固定柱と下部ケーブル固定柱にケーブルを巻設することによって、従来技術のもののようにケーブルを外部に露出させることなく単位体積における電磁波干渉抑制効果を高めることができるものであり、さらに見た目にも美しい。
【考案を実施するための最良の形態】
【００１４】
本考案の長所および主旨を明らかにするために、本考案の好適な実施形態を図に沿って詳細に説明する。
【００１５】
図６は本考案の一実施形態による電磁波干渉抑制に使用されるフェライトコア４を示す斜視図である。図６に示すように、フェライトコア４は信号ケーブルや電気ケーブルなどのケーブル２０を挟持して電磁波干渉の抑制を行う。フェライトコア４は上部蓋体３０と下部蓋体３２とから構成される。上部蓋体３０の内部壁面上には上部ケーブル固定柱４０が設けられ、両端には凹状の開口部が設けられ、下部蓋体３２の内部壁面には上部蓋体３０の上部ケーブル固定柱４０に対応する下部ケーブル固定柱４２が設けられ、両端には凹状の開口部が設けられている。上部蓋体３０と下部蓋体３２とをお互いに掛合した後、それぞれの開口部によって、入線開口部と出線開口部とが構成される。フェライトコア４の材料はＮｉ−ＺｎフェライトまたはＭｎ−Ｚｎフェライトとすることができる。
【００１６】
図７は本考案の一実施形態による電磁波干渉抑制に使用されるフェライトコアにケーブルを巻設する状態を示す斜視図である。図８は本考案の一実施形態による電磁波干渉抑制に使用されるフェライトコアにケーブルを巻設した状態を示す斜視図である。図７に示すように、ケーブル２０を入線開口部からフェライトコア内に進入させた後、先ず上部蓋体３０の上部ケーブル固定柱４０に巻設し、巻設完了後、入線開口部から退出させる。次に、入線開口部から再び下部蓋体３２に進入させ、下部蓋体３２の下部ケーブル固定柱４２に沿って出線開口部から退出させる。
【００１７】
上部蓋体３０に上部ケーブル固定柱４０をさらに増設してケーブルを巻設し、電磁波干渉抑制効果を高めさせることができる。同様に、下部蓋体３２の下部ケーブル固定柱４２をさらに増設して電磁波干渉抑制効果を高めることができる。
【００１８】
本実施形態の電磁波干渉抑制に使用されるフェライトコア４は上部ケーブル固定柱４０と下部ケーブル固定柱４２にケーブル２０を巻設することによって、従来技術のもののようにケーブルを外部に露出させることなく単位体積における電磁波干渉抑制効果を高めることができるものであり、さらに見た目にも美しい。
【００１９】
上述の説明は本考案の実施形態を示すものであり、本考案の範囲を制限するものであはない。
【図面の簡単な説明】
【００２０】
【図１】従来技術による電磁波干渉を抑制するフェライトコアを示す斜視図である。
【図２】従来技術による電磁波干渉を抑制するフェライトコアがケーブルを挟持する状態を示す斜視図である。
【図３】従来技術による電磁波干渉を抑制するフェライトコアがケーブルを挟持した状態を示す斜視図である。
【図４】従来技術による電磁波干渉を抑制するフェライトコアにケーブルを巻設する状態を示す斜視図である。
【図５】従来技術による電磁波干渉を抑制するフェライトコアにケーブルを巻設した状態を示す斜視図である。
【図６】本考案の一実施形態による電磁波干渉抑制に使用されるフェライトコアを示す斜視図である。
【図７】本考案の一実施形態による電磁波干渉抑制に使用されるフェライトコアにケーブルを巻設する状態を示す斜視図である。
【図８】本考案の一実施形態による電磁波干渉抑制に使用されるフェライトコアにケーブルを巻設した状態を示す斜視図である。
【符号の説明】
【００２１】
４    フェライトコア
３０  上部蓋体
３２  下部蓋体
２０  ケーブル
４０  上部ケーブル固定柱
４２  下部ケーブル固定柱
【図１】
0003115399.tif 000003
【図２】
0003115399.tif 000004
【図３】
0003115399.tif 000005
【図４】
0003115399.tif 000006
【図５】
0003115399.tif 000007
【図６】
0003115399.tif 000008
【図７】
0003115399.tif 000009
【図８】
0003115399.tif 000010